(57)【特許請求の範囲】
【請求項１】
浴槽の側面の少なくとも一部を被覆可能な本体部と、
前記本体部の上端に上向きに設けられ、前記浴槽の上端に形成されたフランジから鉛直方向下向きに形成された凹部に係合可能とされた係合部と、
を備え、
前記凹部は前記フランジの端部が下向きに折り返された鍔部と、前記鍔部より前記浴槽側から下向きに立設された突出部と、によって形成され、
前記係合部は、前記本体部から上方向に離れるにしたがって前記本体部の前記浴槽側の面である裏面から前記裏面の反対側の面である表面に向かう方向に傾斜する傾斜部を備え、
前記本体部の表面から裏面に向かう方向における前記係合部の幅は、前記凹部の幅より狭く形成されている、
浴槽エプロンの取付構造。
【請求項２】
前記本体部の下端から、前記表面から前記裏面に向かう方向に延設され、前記浴槽に隣接する洗い場を構成する床部に載置可能とされた載置部と、
前記載置部の端部に設けられ、前記載置部から前記載置部の延設方向に前記本体部から離れるにしたがって前記本体部の前記上端側に向かって傾斜する傾斜部と、
を備える請求項１に記載の浴槽エプロンの取付構造。
【請求項３】
前記本体部と前記係合部との間に設けられ、前記本体部の表面から裏面に向かう方向に張出した張出部を備える、請求項２に記載の浴槽エプロンの取付構造。
【請求項４】
前記傾斜部の先端に設けられ、前記本体部の表面から裏面に向かう方向に屈折する屈折部と、
前記傾斜部及び前記屈折部を覆うように取り付けられたシート状の緩衝材と、
を備える、請求項１〜３の何れか１項に記載の浴槽エプロンの取付構造。
【請求項５】
浴槽と、
請求項１に記載された浴槽エプロンの取付構造と、
を備える浴室構造。
【請求項６】
浴槽と、
前記浴槽に隣接する洗い場を構成する床部と、
請求項２〜請求項４の何れか１項に記載された浴槽エプロンの取付構造と、
を備える浴室構造。
【発明の詳細な説明】
【技術分野】
【０００１】
本発明は、浴槽エプロンの取付構造及び浴室構造に関する。
【背景技術】
【０００２】
従来、浴槽と洗い場とを別体として形成したフルパンタイプの浴室構造において、浴槽と洗い場とを仕切るエプロンが、脱着可能に取付けられているものがある（例えば、特許文献１）。
【先行技術文献】
【特許文献】
【０００３】
【特許文献１】特開２０１１−１８３１７０号公報
【発明の概要】
【発明が解決しようとする課題】
【０００４】
ところで、上記特許文献１に示された浴室ユニットでは、浴槽の側壁の上端部に下向きに形成された凹部に、浴槽エプロンの上端部に形成された凸部を嵌合させて、浴槽に浴槽エプロンを取付けている。浴槽の凹部は鉛直方向下方に向かって延出された延出部と鉛直方向下方に突出した突起部との間に形成されている。また、浴槽エプロンの凸部は、取付時の状態において凹部に壁面が沿うように形成されている。この浴槽エプロンの凸部の壁面と浴槽の凹部を沿わせるように、浴槽の凹部の鉛直下側から取付ける場合、エプロンを垂直に立てた状態で取付ける必要があり、作業性が悪く取付が容易ではない。あるいは、エプロンを傾けて斜め下側から取付けようとした場合、凹部と凸部の壁面が沿わず、互いに干渉しあい、取付が容易ではない。
【０００５】
本発明は、上記事実を考慮して、浴槽に容易に取付けることができる浴槽エプロン、及び、浴槽に容易に取付けることができる浴槽エプロンを有する浴室構造を提供することを目的とする。
【課題を解決するための手段】
【０００６】
本発明の第１態様の浴槽エプロンは、浴槽の側面の少なくとも一部を被覆可能な本体部と、前記本体部の上端に上向きに設けられ、前記浴槽の上端に形成されたフランジから鉛直方向下向きに形成された凹部に係合可能とされた、前記本体部から上方向に離れるにしたがって前記本体部の前記浴槽側の面である裏面から前記裏面の反対側の面である表面に向かう方向に傾斜する係合部と、を備える。
【０００７】
本発明の第１態様の浴槽エプロンによると、浴槽エプロンを浴槽に取付ける際に、本体部に対して本体部の上端が、本体部の裏面側、すなわち取付け方向奥側に位置するように本体部を傾斜させると、本体部の上端に設けられた係合部の傾斜が、鉛直方向に近づく。このため、係合部が傾斜していない場合と比較して、浴槽の上端に形成されたフランジから鉛直方向下向きに立設された取付部に形成された凹部に、係合部を係合させやすくなる。したがって、浴槽に浴槽エプロンを容易に取付けることができる。
【０００８】
本発明の第２態様の浴槽エプロンは、第１態様の浴槽エプロンにおいて、前記本体部の下端から、前記表面から前記裏面に向かう方向に延設され、前記浴槽に隣接する洗い場を構成する床部に載置可能とされた載置部と、前記載置部の端部に設けられ、前記載置部から前記載置部の延設方向に前記本体部から離れるにしたがって前記本体部の前記上端側に向かって傾斜する傾斜部と、を備える。
【０００９】
本発明の第２態様の浴槽エプロンによると、本体部の下端に設けられた載置部の端部に、本体部の上方向に向かって傾斜する傾斜部が設けられている。浴槽の取付部に形成された凹部に浴槽エプロンの係合部を係合させ、本体部が浴槽に接近するようにして浴槽エプロンを浴槽に取付けると、係合部を中心として浴槽エプロンが回転し、載置部が床部に近づく。このとき、載置部の端部には、本体部の上方向に向かって傾斜する傾斜部が設けられているので、傾斜部が設けられていない場合と比較して、載置部の端部が、床部に接触しにくい。このため、浴槽エプロンをスムーズに回転させることができる。したがって、浴槽に浴槽エプロンをさらに容易に取付けることができる。
【００１０】
本発明の第３態様の浴槽エプロンは、第２態様の浴槽エプロンにおいて、前記本体部の上端は、前記本体部の表面から裏面に向かう方向に延設された張出部とされ、前記張出部の前記本体部の離面側の先端に、前記係合部が設けられている。
【００１１】
本発明の第３態様の浴槽エプロンによると、係合部が、本体部の表面から裏面に向かう方向に延設された張出部の先端に設けられている。浴槽の取付部に形成された凹部に浴槽エプロンの係合部を係合させる際に、係合部の付け根部分の本体部表面側を取付部に当接させることで、係合部を係合させやすくなる。したがって、浴槽に浴槽エプロンをさらに容易に取付けることができる。
【００１２】
本発明の第４態様の浴室構造は、浴槽と、第１態様に記載された浴槽エプロンと、を備える。
【００１３】
本発明の第４態様の浴室構造によると、浴槽エプロンを浴槽に取付ける際に、本体部に対して本体部の上端が、本体部の裏面側、すなわち取付け方向奥側に位置するように本体部を傾斜させると、本体部の上端に設けられた係合部の傾斜が、鉛直方向に近づく。このため、係合部が傾斜していない場合と比較して、浴槽の上端に形成されたフランジから鉛直方向下向きに立設された取付部に形成された凹部に、係合部を係合させやすくなる。したがって、浴槽に浴槽エプロンを容易に取付けることができる。
【００１４】
本発明の第５態様の浴室構造は、浴槽と、前記浴槽に隣接する洗い場を構成する床部と、第２態様又は第３態様に記載された浴槽エプロンと、を備える。
【００１５】
本発明の第５態様の浴室構造によると、本体部の下端に設けられた載置部の端部に、本体部の上方向に向かって傾斜する傾斜部が設けられている。浴槽の取付部に形成された凹部に浴槽エプロンの係合部を係合させ、本体部が浴槽に接近するようにして浴槽エプロンを浴槽に取付けると、係合部を中心として浴槽エプロンが回転し、載置部が床部に近づく。このとき、載置部の端部には、本体部の上方向に向かって傾斜する傾斜部が設けられているので、傾斜部が設けられていない場合と比較して、載置部の端部が、床部に接触しにくい。このため、浴槽エプロンをスムーズに回転させることができる。したがって、浴槽に浴槽エプロンをさらに容易に取付けることができる。
【発明の効果】
【００１６】
本発明に係る浴槽エプロン、及び浴室構造によれば、浴槽に浴槽エプロンを容易に取付けることができる。
【図面の簡単な説明】
【００１７】
【図１】本発明の実施形態に係る浴槽エプロン及び浴室構造の全体を示す斜視図である。
【図２】本発明の実施形態に係る浴槽エプロンの取付時の状態を示す立断面図である。
【図３】本発明の実施形態に係る浴槽エプロンの取付時における係合部の状態を示す部分拡大立断面図である。
【図４】本発明の実施形態に係る浴槽エプロンの取付時における載置部の状態を示す部分拡大立断面図である。
【図５】本発明の実施形態に係る浴槽エプロンの取付方法を示す部分拡大立断面図である。
【図６】本発明の実施形態における防水パンの変形例を示す部分拡大立断面図である。
【発明を実施するための形態】
【００１８】
（浴室構造）
以下、図面を参照して、本発明の実施形態に係るエプロン５０、及び浴室構造Ｔについて説明する。
まず、図１を参照して、本実施形態に係る浴室構造Ｔの概要について説明する。図１は、浴室１０の全体構造を示す斜視図である。なお、図１における浴室１０の手前側の壁面、及び出入口は２点鎖線で示している。
【００１９】
図１に示されるように、浴室１０は、予め工場などで成形された図示しない天井板、防水パン２０、壁パネル３０、などの複数のパネル等を組み立てて製作されるユニットルームとして構成され、防水パン２０の下部に設けられた脚部材によって建物の床面１２に載置されている。
【００２０】
なお、本実施形態において浴室１０はユニットルームとして構成されているが本発明の実施形態はこれに限られず、天井板や壁パネルを建物の構造躯体や下地材にタイルなどを貼り付けて施工する浴室（所謂在来工法の浴室）であってもよい。
【００２１】
（防水パン）
本発明における床部の一例としての防水パン２０は、耐水性素材、例えばＦＲＰ（繊維強化プラスチック）で形成され、上面に、例えばＦＲＰで成形された浴槽４０が据え付けられている。また、防水パン２０の浴槽４０が据え付けられていない部分は洗い場空間の床面とされている。なお、本実施形態において防水パン２０に浴槽４０が据え付けられているとは、浴槽４０と洗い場を構成する防水パン２０とを別体として形成し、浴槽４０が防水パン２０の上に載置された状態を示す。
【００２２】
なお、本発明の実施形態は防水パンの上に浴槽が載置されたものに限られない。例えば図６に示す防水パン７０のように、防水パンを洗い場のみのユニット部材として構成し、浴槽４０はこの防水パンに載置されておらず隣接しているものとしてもよい。
【００２３】
また、本発明の実施形態は浴槽と防水パンとを別体として形成したものに限られず、例えば浴槽と防水パンとを一体的に形成したものも含まれる。さらに、防水パンを用いない浴室（所謂在来工法の浴室）も含まれる。
【００２４】
（壁パネル）
壁パネル３０は耐水性素材、例えばＦＲＰや塩ビ鋼板等で形成され、防水パン２０の縁部、浴室１０の外郭に設置した図示しない枠材等に、適宜止水処理を施されて固定されている。
【００２５】
（浴槽）
本発明における浴槽の一例としての浴槽４０は、耐水性素材、例えばＦＲＰ（繊維強化プラスチック）で形成され、水を溜める本体部４２と、本体部４２の上端の縁を囲むようにして水平方向に張出したフランジ４４と、を含んで構成され、金物を介して例えばネジ等によって壁パネル３０に固定されている。フランジ４４の３辺は壁パネル３０に面しており、フランジ４４と壁パネル３０との隙間は、適宜コーキングなどの止水材によって止水処理されている。また、フランジ４４の１辺であるフランジ４４Ａは洗い場空間に面しており、使用者はフランジ４４Ａを跨いで浴槽に出入りする。
【００２６】
なお、上述の水平方向とは、防水パン２０の床面と概ね平行な方向を示しており、水勾配を確保するために防水パンの床面と平行な方向に対して多少傾斜した方向を含むものとする。
【００２７】
（エプロン）
本発明における浴槽エプロンの一例としてのエプロン５０は、耐水性素材、例えばＡＢＳ樹脂を押出成形することにより形成され、浴槽４０の洗い場空間に面したフランジ４４Ａの下部に着脱可能に取付けられている。詳しくは後述するが、エプロン５０の上端がフランジ４４Ａに係合し、下端が防水パン２０に固定されている。なお、エプロンとは浴槽の側面を覆う化粧パネルのことである。
【００２８】
（取付構造）
次に、図２を参照して、本実施形態に係る浴室構造Ｔの、防水パン２０、浴槽４０、エプロン５０の取付構造について説明する。
【００２９】
図２は、エプロン５０と、エプロン５０の周囲部分を示す立断面図である。図２に示すように、浴槽４０の上端部から水平方向に張出した、洗い場空間側のフランジ４４Ａの端部は、防水パン２０に向かって鉛直方向下向きに折り返された鍔部４６Ａとされている。また、鍔部４６Ａよりも本体部４２側のフランジ４４Ａの下面からは突出部４６Ｂが防水パン２０に向かって鉛直方向下向きに立設され、鍔部４６Ａ、突出部４６Ｂ、及び、鍔部４６Ａと突出部４６Ｂの間に形成された被係合部としての凹部４６Ｃによって、後述するエプロン５０の係合部５６を係合させるための取付部４６が構成されている。なお、凹部４６Ｃは、鉛直方向下向きに開口している。
【００３０】
なお、上述の鉛直方向とは、防水パン２０の床面に対して概ね垂直な方向を示しており、成形時の抜き勾配を確保するために傾斜した方向などを含むものとする。
【００３１】
防水パン２０は、浴槽４０の手前で鉛直方向上側に向かって立設された堤防部２２を備え、堤防部２２の上面は、水平面２２Ａとされている。堤防部２２の浴槽４０側の壁面２２Ｂには、後述するエプロン５０の載置部５８を固定するための留め具２４が図示しないねじ等により固定されている。
【００３２】
エプロン５０は、略鉛直方向に延設されて浴槽４０の側面を覆う被覆部とされた本体部５２と、本体部５２の上端に形成され、本体部５２の表面から裏面に向かう方向、すなわち、浴槽４０の本体部４２に向かって張出す張出部５４と、張出部５４の先端に鉛直方向上側に向かって設けられた係合部５６と、を含んで構成されている。また、本体部５２の下端には、本体部５２の表面から裏面に向かう方向、すなわち、浴槽４０の本体部４２に向かって延設された載置部５８が形成されている。
【００３３】
なお、本体部５２の表面とは、エプロン５０を浴槽４０に取付けた際に洗い場と相対する面であり、表面から裏面に向かう方向とは、図２に示した矢印Ｂの方向である。また、裏面とはエプロン５０を浴槽４０に取付けた際に浴槽４０と相対する面であり、裏面から表面に向かう方向とは、図２に示した矢印Ｓの方向である。また、表面は、化粧面、意匠面などとも言い換えられる。また、本体部５２の上端とは、エプロン５０を浴槽４０に取付けた際の鉛直方向上端を示し、同様に本体部５２の下端とは、エプロン５０を浴槽４０に取付けた際の鉛直方向下端を示す。
【００３４】
本体部５２は、本体部５２の鉛直方向上側の被覆部５２Ａと、被覆部５２Ａの鉛直方向下側に形成され、本体部５２の表面から裏面に向かう方向、すなわち、浴槽４０の本体部４２に向かって面落ちした凹部５２Ｂと、被覆部５２Ａと凹部５２Ｂとの境界に設けられ、エプロン５０を浴槽４０に取付け、あるいは取り外す際に手指を引掛けるための把手５２Ｃを含んで形成されている。
【００３５】
防水パン２０における水平面２２Ａと浴槽４０における鍔部４６Ａの下端部（取付部４６の下端部）との鉛直方向の距離Ｈ１は、防水パン２０の取付時の鉛直方向の高さＨ２よりも小さく形成されている。
【００３６】
（係合部）
次に、図３を参照して、エプロン５０の係合部５６の構成について説明する。係合部５６は、浴槽４０の取付部４６に形成された凹部４６Ｃに引掛けて係合させるための引掛け部であり、張出部５４の先端に設けられ、図３に一点鎖線で示すように、エプロン５０の本体部５２から上方向に離れるにしたがって本体部５２の裏面から表面に向かう方向に傾斜する傾斜部５６Ａと、傾斜部５６Ａの先端に、本体部５２の表面から裏面に向かう方向に設けられた屈折部５６Ｂと、傾斜部５６Ａの付け根部分に、本体部５２の下側に向かって突出した爪部５６Ｃと、を含んで構成される。なお、本体部５２の上方向とは、図３に矢印ＵＰで示す方向であり、エプロン５０を浴槽４０に取付けた状態における鉛直上側に向かう方向である。
【００３７】
係合部５６の、鉛直方向に直交する方向に沿った幅、すなわち傾斜部５６Ａ及び屈折部５６Ｂを含んだ部分の本体部５２の表面から裏面に向かう方向の幅Ｗ１は、フランジ４４Ａの取付部４６の凹部４６Ｃの幅Ｗ２よりも狭く形成されている。これにより、エプロン５０がフランジ４４Ａに係合可能となっている。なお、係合部５６には、傾斜部５６Ａ及び屈折部５６Ｂを覆うようにシート状の緩衝材が取付けられており、係合部５６が取付部４６の鍔部４６Ａと突出部４６Ｂと接触することによるガタツキや音の発生を抑制している。また、本実施形態において幅Ｗ１は、傾斜部５６Ａの延出方向に沿った係合部の幅Ｗ３と等幅に形成されている。
【００３８】
（載置部）
次に、図４を参照して、エプロン５０の載置部５８の構成について説明する。載置部５８は、取付時の状態においてエプロン５０の荷重を防水パン２０に伝達する荷重伝達部であり、本体部５２の下端、すなわち、凹部５２Ｂの下端に設けられると共に本体部５２の表面から裏面に向かう方向に延設される当接部５８Ａと、当接部５８Ａの端部に設けられ、本体部５２の上側に向かって傾斜する傾斜部５８Ｂと、傾斜部５８Ｂの先端部分に、本体部５２の上側に向かって突出した爪部５８Ｃと、を含んで構成される。
【００３９】
当接部５８Ａは、エプロン５０を浴槽４０に取付けた際に、防水パン２０の堤防部２２の水平面２２Ａと当接し、傾斜部５８Ｂは、水平面２２Ａと離間する。爪部５８Ｃは、エプロン５０の長手方向、換言すると洗い場に面したフランジ４４Ａの延設方向に少なくとも２箇所の切欠き部５８Ｄを有しており、切欠き部５８Ｄは、載置部５８の上面５８Ｅと面一とされている。エプロン５０を浴槽４０に取付けた際には、切欠き部５８Ｄを、防水パン２０の壁面２２Ｂに固定された留め具２４が押圧することにより、エプロン５０が防水パン２０に固定される。なお、留め具２４は、エプロン５０を浴槽４０に取付ける際に弾性変形し、弾性力により切欠き部５８Ｄを押圧する。また、弾性力は、エプロン５０を浴槽４０から取り外す際に容易に取り外すことができる程度の力とされている。
【００４０】
（補強リブ）
図２〜図４に示すように、エプロン５０の本体部５２、張出部５４、載置部５８の本体部５２の裏面側には、補強リブ６０が取付けられている。補強リブ６０は、エプロン５０を押出成形した後に接着して取付けられ、爪部５６Ｃ、爪部５８Ｃによって固定されている。なお、補強リブ６０は、エプロン５０の強度を増すために取付箇所及び取付箇所数を適宜設定して用いられる。
【００４１】
（作用及び効果）
次に、図５を参照しながら、本実施形態のエプロン５０及び浴室構造Ｔの作用及び効果について説明する。
【００４２】
図５には、浴槽４０にエプロン５０を取付ける際の一工程が示されている。図５に示すように、エプロン５０を浴槽４０に取付けるためには、エプロン５０を、エプロン５０の本体部５２に対して張出部５４及び係合部５６が本体部５２の裏面側、すなわち取付け方向奥側に位置するように、本体部５２を傾斜させる。
【００４３】
エプロン５０を傾斜させることにより、エプロン５０の載置部５８と防水パン２０の床面２４Ａとの間に取付時のクリアランスＬが生じ、該クリアランスＬの範囲内で、エプロン５０を鉛直方向に動かすことができる。
【００４４】
また、係合部５６の傾斜部５６Ａの傾斜が、図５に一点鎖線で示したように、図５に矢印Ｈで示した鉛直方向に近づくので、鉛直方向下向きに形成された浴槽４０の取付部４６の凹部４６Ｃに対して、係合部５６を容易に鉛直下方向から差し込むことができる。
【００４５】
また、係合部５６は張出部５４の先端に設けられているので、エプロン５０を浴槽４０に取付ける際に、係合部５６と張出部５４の間の窪み部５５に取付部４６の鍔部４６Ａの先端を当てるようにすることで、容易に位置決めを行うことができる。さらに、係合部５６の付け根部分、及び鍔部４６Ａの先端が支点となるように、また、本体部５２、特に載置部５８側の部分が浴槽４０に接近するようにしてエプロン５０を回転させることで、係合部５６を取付部４６に容易に係合させることができる。換言すると、エプロン５０を、係合部５６を中心としてエプロン５０の表面から裏面に向かう方向に回転移動させて、係合部５６を取付部４６に係合させる。
【００４６】
また、載置部５８の端部は、本体部５２の上側に向かって傾斜する傾斜部５８Ｂとされているため、鍔部４６Ａの先端が支点となるようにエプロン５０を回転させる際などに、傾斜部５８Ｂと、堤防部２２の水平面２２Ａとが接触することが抑制される。
【００４７】
また、エプロン５０の本体部５２には把手５２Ｃが設けられているので、エプロン５０を取付け、または取り外す際に、作業性が高い。
【００４８】
以上の理由から、本実施形態のエプロン５０は、浴槽４０に容易に取付けることができる。
【００４９】
（その他の実施形態）
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【００５０】
例えば、上記実施形態におけるエプロン５０は載置部５８を備えるものとしたがこれに限られない。例えば本体部５２の下端、すなわち、凹部５２Ｂの下端を、凹部５２Ｂの延設方向に伸長し、防水パンに適宜ねじ留めなどしてもよい。あるいはマグネットなどを用いて留めてもよい。
【００５１】
例えば、上記実施形態におけるエプロン５０は押出成形されるものとしたが、本発明の実施形態はこれに限られない。上記実施形態と同様、傾斜部を備えた係合部を備えるものであれば、例えばＳＭＣ（Ｓｈｅｅｔ  Ｍｏｌｄｉｎｇ  Ｃｏｍｐｏｕｎｄ）成形や、プレス成形してもよい。ＳＭＣ成形やプレス成形することで、補強リブ６０を一体成形することができる。
【００５２】
例えば、上記実施形態におけるエプロン５０は張出部５４を備えるものとしたが、本発明の実施形態はこれに限られない。張出部５４を設けなければ、成形型を単純な構造とすることができる。
【００５３】
例えば、上記実施形態における係合部５６は屈折部５６Ｂを備えるものとしたが、本発明の実施形態はこれに限られない。例えば浴槽４０の取付部４６の鍔部４６Ａと突出部４６Ｂとの間が狭く形成されていれば、屈折部５６Ｂを備えなくても係合部５６と取付部４６との間のガタツキを抑えることができる。
【００５４】
例えば、係合部５６の鉛直方向に直交する方向に沿った幅Ｗ１は、傾斜部５６Ａの延出方向に沿った係合部の幅Ｗ３と等幅に形成されているが、本発明の実施形態はこれに限られない。例えば、幅Ｗ１が幅Ｗ３よりも広く形成されていてもよい。これにより、取付時のガタツキを抑制する効果が高めることができる。また、幅Ｗ３が幅Ｗ１よりも狭くなるため、エプロン５０を浴槽４０に取付ける際、本体部５２を傾斜させると、本体部５２を傾斜させない場合と比較して、係合部５６を凹部４６Ｃに係合させやすい。さらに、エプロン５０を浴槽４０から取り外す場合も、本体部５２を傾斜させることで、係合部５６と凹部４６Ｃとの間の隙間が広くなるので、容易に取り外すことができる。すなわち、エプロン５０を浴槽４０に取付けた状態における係合部５６と凹部４６Ｃとの間の隙間が、着脱時には広くなるので、エプロン５０を取付け、または取り外す際の作業性を高くすることができる。
【符号の説明】
【００５５】
Ｔ  浴室構造、    ２０  防水パン（床部）、    ４０  浴槽、    ４４Ａ  フランジ、
４６Ｃ  凹部、    ５０  エプロン（浴槽エプロン）、    ５２  本体部、
５４  張出部、    ５６  係合部、    ５８  載置部、    ５８Ｂ  傾斜部
【図１】
0006695208.tif 000002
【図２】
0006695208.tif 000003
【図３】
0006695208.tif 000004
【図４】
0006695208.tif 000005
【図５】
0006695208.tif 000006
【図６】
0006695208.tif 000007